(57)【要約】【課題】ロースター無し仕様とロースター付き仕様とを同一構造の本体ケースで共用できるようにするとともに、冷却効率に優れた冷却風導風構造が得られるようにする。【解決手段】誘導加熱調理器において、電磁誘導コイル３Ａ，３Ｂのうちの一方の電磁誘導コイル３Ｂの下方に、空洞部１０を形成するとともに、冷却ファンからの冷却風Ｗを、前記電磁誘導コイル３Ａ，３Ｂのうちの他方の電磁誘導コイル３Ａの下方を経て前記空洞部１０に供給し得るように構成して、冷却ファンからの冷却風Ｗを、前記電磁誘導コイル３Ａの下方を経て空洞部１０へ供給することにより、前記電磁誘導コイル３Ｂ方向への冷却風Ｗに関する圧力損失を小さくし、前記電磁誘導コイル３Ｂへの冷却風量を増大せしめて、従来不足しがちであった前記電磁誘導コイル３Ｂへの冷却風供給を確保できるようにしている。【選択図】　　　　図２
2004134111.tif 000002
【特許請求の範囲】
【請求項１】
本体ケースの天面を形成して調理器具の載置部となるトッププレートと、該トッププレートの内方に配設され、前記調理器具を誘導加熱する少なくとも二つの電磁誘導コイルと、冷却ファンとを備えた誘導加熱調理器であって、前記電磁誘導コイルのうちの一方の下方には、空洞部を形成するとともに、前記冷却ファンからの冷却風を、前記電磁誘導コイルのうちの他方の下方を経て前記空洞部に供給し得るように構成したことを特徴とする誘導加熱調理器。
【請求項２】
前記空洞部を、前記本体ケースの高さの略１／２の高さより上方であって前記一方の電磁誘導コイルと対応する部位としたことを特徴とする前記請求項１記載の誘導加熱調理器。
【請求項３】
前記空洞部には、前記電磁誘導コイルのうちの一方を支持している部材を支え且つ該空洞部に供給された冷却風を上方の電磁誘導コイル側に誘導する支持部材を設けたことを特徴とする前記請求項１および２のいずれか一項記載の誘導加熱調理器。
【請求項４】
前記本体ケースの前面の略全面には、各種操作および各種表示を行う操作パネルを設けたことを特徴とする前記請求項１、２および３のいずれか一項記載の誘導加熱調理器。
【請求項５】
前記操作パネルにおける特定部位には、炊飯に関する操作・表示を行う炊飯操作・表示部を設けたことを特徴とする前記請求項４記載の誘導加熱調理器。
【請求項６】
前記電磁誘導コイルの出力を異ならしめるとともに、前記炊飯操作・表示部に設けられた炊飯キーにより前記電磁誘導コイルのうちの出力の小さい方が制御されるように構成したことを特徴とする前記請求項５記載の誘導加熱調理器。
【請求項７】
前記空洞部をロースターを配設し得るように構成してロースター付き仕様として対応できるように構成したことを特徴とする前記請求項１記載の誘導加熱調理器。
【請求項８】
前記電磁誘導コイルのうちの他方の下方には、前記電磁誘導コイルの発振を制御する駆動・制御基板を配設したことを特徴とする前記請求項１、２、３、４、５、６および７のいずれか一項記載の誘導加熱調理器。
【発明の詳細な説明】
【０００１】
【発明の属する技術分野】
本願発明は、電磁誘導を利用して発熱させた調理器具にて被調理物を加熱調理する誘導加熱調理器に関するものである。
【０００２】
【従来の技術】
本体ケースの天面を形成し調理器具の載置部となるトッププレートと、該トッププレートの内方に配設され、前記調理器具を誘導加熱する電磁誘導コイルとを備えて構成された誘導加熱調理器は従来から良く知られている（例えば、特許文献１参照）。
【０００３】
上記誘導加熱調理器の場合、グリル機能を有するロースター付き仕様と、グリル機能を有していないロースター無し仕様とがある。
【０００４】
ところで、ロースター付き仕様の誘導加熱調理器の場合、二つの電磁誘導コイルのうちの一方側の下方部位に、ロースターを装着する構造となっているが、ロースター無し仕様の誘導加熱調理器の場合、二つの電磁誘導コイルのうちの一方側の下方部位には、例えば電磁誘導コイルを制御するための駆動・制御基板を配設する構造となっており、それぞれ別々な製品として製作されていた。
【０００５】
【特許文献１】
特開平１０−３１２８８０号公報。
【０００６】
【発明が解決しようとする課題】
ところが、上記したように、ロースター付き仕様とロースター無し仕様とを別々な製品とした場合、製作コストが高くなるという不具合がある。また、上記構成の誘導加熱調理器においては、電磁誘導コイルや該電磁誘導コイルへの通電を制御する電子部品（例えば、パワートランジスタ等）を冷却する必要があり、冷却風の導風構造に工夫を凝らす必要がある。
【０００７】
本願発明は、上記の点に鑑みてなされたもので、ロースター無し仕様とロースター付き仕様とを同一構造の本体ケースで共用できるようにするとともに、冷却効率に優れた冷却風導風構造が得られるようにすることを目的としている。
【０００８】
【課題を解決するための手段】
本願発明では、上記課題を解決するための第１の手段として、本体ケースの天面を形成して調理器具の載置部となるトッププレートと、該トッププレートの内方に配設され、前記調理器具を誘導加熱する少なくとも二つの電磁誘導コイルと、冷却ファンとを備えた誘導加熱調理器において、前記電磁誘導コイルのうちの一方の下方に、空洞部を形成するとともに、前記冷却ファンからの冷却風を、前記電磁誘導コイルのうちの他方の下方を経て前記空洞部に供給し得るように構成している。
【０００９】
上記のように構成したことにより、冷却ファンからの冷却風が、二つの電磁誘導コイルのうち下方に空洞部が形成されていない方（換言すれば、他方）の電磁誘導コイルの下方を経て空洞部へ供給されることとなる。従って、下方に空洞部が形成されている方（換言すれば、一方）の電磁誘導コイル方向への冷却風に関する圧力損失が小さくなることとなり、一方の電磁誘導コイルへの冷却風量が増大することとなって、従来不足しがちであった一方の電磁誘導コイルの冷却風供給を確保できる。また、この空洞部を利用することで、設計段階での冷却構造の修正も可能となる。
【００１０】
本願発明では、さらに、上記課題を解決するための第２の手段として、上記第１の手段を備えた誘導加熱調理器において、前記空洞部を、前記本体ケースの高さの略１／２の高さより上方であって前記一方の電磁誘導コイルと対応する部位とすることもでき、そのように構成した場合、必要最小限の大きさの空洞部形成により、一方の電磁誘導コイルへの冷却風供給を確保することができる。
【００１１】
本願発明では、さらに、上記課題を解決するための第３の手段として、上記第１又は第２の手段を備えた誘導加熱調理器において、前記空洞部に、前記電磁誘導コイルのうちの一方を支持している部材を支え且つ該空洞部に供給された冷却風を上方の電磁誘導コイル側に誘導する支持部材を設けることもでき、そのように構成した場合、空洞部へ供給された冷却風が支持部材に誘導されて上方の電磁誘導コイル側へ流れるように制御されることとなり、冷却風の流れを制御する部材と電磁誘導コイルを支持している部材を支える支持部材とを一つの部材で兼用できることとなる。
【００１２】
本願発明では、さらに、上記課題を解決するための第４の手段として、上記第１、第２又は第３の手段を備えた誘導加熱調理器において、前記本体ケースの前面の略全面に、各種操作および各種表示を行う操作パネルを設けることもでき、そのように構成した場合、空洞部の前面側を操作パネルとして活用できることとなり、複数の電磁誘導コイルに対応する各種操作および各種表示を行うスペースを確保することができる。
【００１３】
本願発明では、さらに、上記課題を解決するための第５の手段として、上記第４の手段を備えた誘導加熱調理器において、前記操作パネルにおける特定部位に、炊飯に関する操作・表示を行う炊飯操作・表示部を設けることもでき、そのように構成した場合、設定項目の多い炊飯関連の操作・表示を独立して１カ所に設けることができることとなり、使い勝手が良好となる。
【００１４】
本願発明では、さらに、上記課題を解決するための第６の手段として、上記第５の手段を備えた誘導加熱調理器において、前記電磁誘導コイルの出力を異ならしめるとともに、前記炊飯操作・表示部に設けられた炊飯キーにより前記電磁誘導コイルのうちの出力の小さい方が制御されるように構成することもでき、そのように構成した場合、吹きこぼれ等の問題から高火力を必要としない炊飯を実行する炊飯キーにより出力の小さい方の電磁誘導コイルを制御することで、高火力を必要とする自動調理メニューを高出力側の電磁誘導コイルで調理できることとなり、調理メニューに見合った効率のよい調理が可能となる。
【００１５】
本願発明では、さらに、上記課題を解決するための第７の手段として、上記第１の手段を備えた誘導加熱調理器において、前記空洞部をロースターを配設し得るように構成してロースター付き仕様として対応できるように構成することもでき、そのように構成した場合、ロースター無し仕様とロースター付き仕様とを同一の本体ケースで製作することが可能となり、製作コストを低減できる。
【００１６】
本願発明では、さらに、上記課題を解決するための第８の手段として、上記第１、第２、第３、第４、第５、第６又は第７の手段を備えた誘導加熱調理器において、前記電磁誘導コイルのうちの他方の下方に、前記電磁誘導コイルの発振を制御する駆動・制御基板を配設することもでき、そのように構成した場合、駆動時に発熱する電子部品を具備した駆動・制御基板が冷却ファンから吹き出された直後の冷却風により冷却されることとなり、駆動・制御基板を効果的に冷却することができる。
【００１７】
【発明の実施の形態】
以下、添付の図面を参照して、本願発明の好適な実施の形態について説明する。
【００１８】
図１ないし図７には、本願発明の実施の形態にかかる誘導加熱調理器が示されている。
【００１９】
この誘導加熱調理器は、図１ないし図５に示すように、本体ケース１の上面を構成する耐熱ガラス製のトッププレート２の内方に二つの電磁誘導コイル３Ａ，３Ｂを備え、前記トッププレート２上に載置された鍋などの調理器具を前記電磁誘導コイル３Ａあるいは３Ｂからの電磁誘導作用を利用して発熱させ、前記調理器具に入れられた被調理物を加熱調理するものである。本実施の形態においては、前記電磁誘導コイル３Ａ，３Ｂは、出力が異なっており、右側の電磁誘導コイル３Ａの方が左側の電磁誘導コイル３Ｂより出力が大きく設定されている。
【００２０】
また、前記本体ケース１内には、左右の電磁誘導コイル３Ａ，３Ｂのための二つの駆動・制御基板４Ａ，４Ｂが右側の電磁誘導コイル３Ａの下方に形成された基板室５内において上下２段に分けて設けられており、図７に示す全体の動作制御用の制御回路６を通じて制御されることとなっている。電磁誘導コイル３Ａ，３Ｂからの電磁誘導作用は、距離の２乗に反比例するため、電磁誘導コイル３Ａ，３Ｂをできるだけトッププレート２の下面に近接させてトッププレート２上に載置される調理器具との距離が大きくならないように配慮されている。そのために、前記電磁誘導コイル３Ａ，３Ｂは、前記本体ケース１内を区画する隔壁７Ａ，７Ｂに対して付勢手段として作用するスプリング（図示省略）により上方（即ち、トッププレート２側）に付勢された状態でフローティング支持されたコイル台８Ａ，８Ｂに支持されることとなっている。
【００２１】
前記隔壁７Ａは、前記本体ケース１内を前記電磁誘導コイル３Ａが配設されている上方のコイル室９Ａと下方の基板室５とに区画するものであり、前記隔壁７Ｂは、前記本体ケース１内を前記電磁誘導コイル３Ｂが配設されている上方のコイル室９Ｂと下方の空洞部１０（後述する）とに区画するものである。該隔壁７Ａは、前記コイル室９Ａと前記基板室５とを区画する水平板とされる一方、前記隔壁７Ｂは、前記コイル室９Ｂと前記空洞部１０とを区画する水平部７Ｂａと前記空洞部１０と前記基板室５とを区画する垂直部７Ｂｂとからなっている。
【００２２】
前記二つの駆動・制御基板４Ａ，４Ｂには、前記電磁誘導コイル３Ａ，３Ｂに所定の高周波電流を与えるＩＧＢＴ素子１１Ａ，１１Ｂが配設されることとなっているので、これらを冷却するためのヒートシンク１２Ａ，１２Ｂを設け、該ヒートシンク１２Ａ，１２Ｂを、冷却ファン１３からの送風により冷却するように構成されている。
【００２３】
前記冷却ファン１３は、前記本体ケース１内における基板室５の後方に配設されており、ファンロータ１４と該ファンロータ１４の外周を囲繞するスクロールタイプのファンハウジング１５とからなっている。符号１６はファンロータ１４の駆動源となるファンモータである。
【００２４】
また、本実施の形態にかかる誘導加熱調理器は、ロースターを備えていないロースター無し仕様とされており、前記電磁誘導コイル３Ａ，３Ｂのうちの一方（換言すれば、出力の小さい方）の電磁誘導コイル３Ｂの下方（具体的には、隔壁７Ｂに囲まれた部分）には、前記した空洞部１０が形成されている。前記隔壁７Ｂの垂直部７Ｂｂには、前記空洞部１０へ基板室５からの冷却風を導入するための冷却風導入口１７が形成されている。つまり、前記冷却ファン１３からの冷却風Ｗは、前記電磁誘導コイル３Ａ，３Ｂのうちの他方（換言すれば、出力の大きい方）の電磁誘導コイル３Ａの下方に形成されている基板室５を経て前記空洞部１０に供給されることとなっているのである。なお、基板室５から出た冷却風Ｗの一部は、前記コイル室９Ａ，９Ｂにも供給されることとなっている。また、前記空洞部１０は、前記本体ケース１の高さの略１／２の高さより上方であって前記電磁誘導コイル３Ｂと対応する部位とするのが望ましく、このようにすると、必要最小限の大きさの空洞部１０の形成により、電磁誘導コイル３Ｂへの冷却風供給を確保することができる。
【００２５】
前記本体ケース１の天面後部には、前記冷却ファン１３に対向する位置に吸気口１８が形成されており、前記冷却ファン１３の駆動によって外気が吸い込まれ、図２ないし図４に矢印で示すように流れて二つのヒートシンク１２Ａ，１２Ｂを冷却した後、前記空洞部１０およびコイル室９Ａ，９Ｂを経て、本体ケース１の天面後部に形成されている排気口１９から外部へ排出されることとなっている。このような冷却風の流れを確保するために、前記冷却ファン１３におけるファンハウジング１５の吐出口１５ａには、吐出外気を上下二つの駆動・制御基板４Ａ，４Ｂ側に向けて分岐案内するセパレータ２０が形成されている。
【００２６】
また、図６に示すように、前記本体ケース１の前面１ａのほぼ全面には、操作パネル２２が設けられており、該操作パネル２２の裏面には、操作基板２１が配設されている。該操作パネル２２には、操作基板２１上のスイッチ類を外部キー等により操作する操作手段２３（図７参照）、操作基板２１上に設けられたランプや液晶表示装置などによる外部への表示を行う表示手段２４（図７参照）、動作状態や操作ガイド、警告などを外部にブザーの音や音声にて報知する報知手段２５（図７参照）が設けられている。
【００２７】
図７において、符号２６は交流電源、２７は整流回路、２８はインバータ回路、２９Ａ，２９Ｂは温度センサーである。
【００２８】
前記温度センサー２９Ａ，２９Ｂは、前記コイル台８Ａ，８Ｂの中心部において前記トッププレート２の下面に当接された状態でそれぞれ設けられており、調理器具などの温度を検出し、制御回路６に入力することによって、その時々の調理実温度、実際には調理器具の実温度から調理の進行状態をモニタし、またこのモニタ結果によって調理の進行状態を種々に制御できるようになっている。
【００２９】
前記操作パネル２２には、図６に示すように、左右方向の中央部に位置して電源スイッチ３０を備えたスイッチパネル部３１が設けられており、該スイッチパネル部３１の右側には、右側コンロ用の操作部３２Ａが設けられており、該操作部３２Ａには、オン・オフキー３３および加熱の強弱を設定するアップ・ダウンキー３４，３５とオートメニュー用としての揚げ物キー３６、煮物キー３７、湯沸かしキー３８、あたためキー３９、火かげん調節用のキー４０，４１とタイマー用としての時間キー４２、分キー４３および取消キー４４と液晶表示装置４５Ａとが設けられる一方、前記スイッチパネル部３１の左側には、左側コンロ用の操作部３２Ｂが設けられており、該操作部３２Ｂには、オン・オフキー４６と加熱の強弱を設定するアップ・ダウンキー４７，４８と炊飯用としてのメニューキー４９、予約キー５０、合数キー５１および炊飯キー５２とタイマー用としての時間キー５３、分キー５４および取消キー５５と液晶表示装置４５Ｂとが設けられている。
【００３０】
前記操作パネル２２における左側表示部に設けられた炊飯キー５２は、電磁誘導コイル３Ａ，３Ｂのうちの出力の小さい方の電磁誘導コイル３Ｂを制御することとされている。このようにすると、吹きこぼれ等の問題から高火力を必要としない炊飯を実行する炊飯キー５２により出力の小さい方の電磁誘導コイル３Ｂを制御することで、高火力を必要とする自動調理メニューを高出力側の電磁誘導コイル３Ａで調理できることとなり、調理メニューに見合った効率のよい調理が可能となる。
【００３１】
前記液晶表示装置４５Ａには、オートメニューの内容や調理中の温度等が表示される一方、前記液晶表示装置４３Ｂには、炊飯条件や時間等が表示されることとなっているが、図８（イ）、（ロ）に示すように、液晶表示装置４５Ａ，４５Ｂの外側における操作パネル２２に炊飯条件およびオートメニューをそれぞれ表示し、液晶表示装置４５Ａ，４５Ｂ内には、前記表示を指し示す指標（例えば、△印）５６Ａ，５６Ｂがそれぞれ点灯表示されるようにすることもできる。このようにすると、複数個使用する液晶表示装置等の表示手段の共通化が可能となる。
【００３２】
上記のように構成された誘導加熱調理器においては、次のような作用効果が得られる。
【００３３】
冷却ファン１３からの冷却風Ｗは、二つの電磁誘導コイル３Ａ，３Ｂのうち下方に空洞部１０が形成されていない方（換言すれば、出力が大きい方）の電磁誘導コイル３Ａの下方の基板室５を経て空洞部１０へ供給されることとなる。従って、下方に空洞部１０が形成されている方（換言すれば、出力が小さい方）の電磁誘導コイル３Ｂ方向への冷却風Ｗに関する圧力損失が小さくなることとなり、当該電磁誘導コイル３Ｂへの冷却風量が増大することとなって、従来不足しがちであった電磁誘導コイル３Ｂの冷却風供給を確保できる。なお、冷却ファン１３から吐出される冷却風Ｗが基板室５において駆動・制御基板４Ａ，４Ｂ（具体的には、ヒートシンク１２Ａ，１２Ｂ）をまず冷却することとなるので、それぞれの駆動・制御基板４Ａ，４Ｂに設けられたＩＧＢＴ素子１１Ａ，，１１Ｂを効率的に冷却することができる。
【００３４】
また、この空洞部１０を利用することで、設計段階での冷却構造の修正も可能となる。例えば、図９に示すように、前記空洞部１０に、前記電磁誘導コイル３Ａ，３Ｂのうちの一方（即ち、出力の小さい方）の電磁誘導コイル３Ｂを支持している隔壁７Ｂを支え且つ該空洞部１０に供給された冷却風Ｗを上方の電磁誘導コイル３Ｂ側に誘導する支持部材５５を設けることもできる。この場合、該支持部材５５は、基板室５から導入される冷却風Ｗと対面する側に所定の幅を有しており、前記隔壁７Ｂの水平部７Ｂａには、支持部材５５に誘導された冷却風Ｗをコイル室９Ｂへ流入させる流入口５６が形成されている。このようにすると、空洞部１０へ供給された冷却風Ｗが支持部材５５に誘導されて、流入口５６から上方の電磁誘導コイル３Ｂ側（換言すれば、コイル室９Ｂ）へ流れ込むように制御されることとなり、冷却風Ｗの流れを制御する部材と電磁誘導コイル３Ｂを支持している隔壁７Ｂを支える支持部材５５とを一つの部材で兼用できることとなる。
【００３５】
また、本体ケース１の前面１ａの略全面に、各種操作および各種表示を行う操作パネル２２を設けたことにより、空洞部１０の前面側を操作パネル２２として活用できることとなり、複数の電磁誘導コイル３Ａ，３Ｂに対応する各種操作および各種表示を行うスペースを確保することができる。
【００３６】
また、前記操作パネル２２における特定部位である左側の表示部に、炊飯に関する操作・表示を行う炊飯操作・表示部（例えば、メニューキー４７、予約キー４８、合数キー４９および炊飯キー５０）を設けたことにより、設定項目の多い炊飯関連の操作・表示を独立して１カ所に設けることができることとなり、使い勝手が良好となる。
【００３７】
ところで、本実施の形態にかかる誘導加熱調理器をロースター付き仕様に変更する場合には、図１０に示すように、前記本体ケース１の前面１ａにおいて前記空洞部１０と対応する部位を切除して大きな開口５７を形成し、該開口５７を出し入れ口として前記空洞部１０にロースター５８を装着すればよい。このようにすると、ロースター無し仕様とロースター付き仕様とを同一の本体ケース１で製作することが可能となり、製作コストを低減できる。
【００３８】
なお、ロースター無し仕様の誘導加熱調理器の場合、ロースターを冷却する必要がなく、電磁誘導コイル３Ａ，３Ｂおよび駆動・制御基板４Ａ，４Ｂを冷却するのみでよいので、冷却ファン１３の回転数をロースター付き仕様のものより下げることも可能である。
【００３９】
上記実施の形態においては、電磁誘導コイルを２個備えた誘導加熱調理器について説明したが、本願発明は、３個以上の電磁誘導コイルを備えた誘導加熱調理器にも適用可能なことは勿論である。
【００４０】
【発明の効果】
本願発明の第１の手段によれば、本体ケースの天面を形成して調理器具の載置部となるトッププレートと、該トッププレートの内方に配設され、前記調理器具を誘導加熱する少なくとも二つの電磁誘導コイルと、冷却ファンとを備えた誘導加熱調理器において、前記電磁誘導コイルのうちの一方の下方に、空洞部を形成するとともに、前記冷却ファンからの冷却風を、前記電磁誘導コイルのうちの他方の下方を経て前記空洞部に供給し得るように構成して、冷却ファンからの冷却風が、二つの電磁誘導コイルのうち下方に空洞部が形成されていない方（換言すれば、他方）の電磁誘導コイルの下方を経て空洞部へ供給されるようにしたので、下方に空洞部が形成されている方（換言すれば、一方）の電磁誘導コイル方向への冷却風に関する圧力損失が小さくなることとなり、一方の電磁誘導コイルへの冷却風量が増大することとなって、従来不足しがちであった一方の電磁誘導コイルの冷却風供給を確保できるという効果がある。また、この空洞部を利用することで、設計段階での冷却構造の修正も可能となるという効果もある。
【００４１】
本願発明の第２の手段におけるように、上記第１の手段を備えた誘導加熱調理器において、前記空洞部を、前記本体ケースの高さの略１／２の高さより上方であって前記他方の電磁誘導コイルと対応する部位とすることもでき、そのように構成した場合、必要最小限の大きさの空洞部形成により、他方の電磁誘導コイルへの冷却風供給を確保することができる。
【００４２】
本願発明の第３の手段におけるように、上記第１又は第２の手段を備えた誘導加熱調理器において、前記空洞部に、前記電磁誘導コイルのうちの一方を支持している部材を支え且つ該空洞部に供給された冷却風を上方の電磁誘導コイル側に誘導する支持部材を設けることもでき、そのように構成した場合、空洞部へ供給された冷却風が支持部材に誘導されて上方の電磁誘導コイル側へ流れるように制御されることとなり、冷却風の流れを制御する部材と電磁誘導コイルを支持している部材を支える支持部材とを一つの部材で兼用できることとなる。
【００４３】
本願発明の第４の手段におけるように、上記第１、第２又は第３の手段を備えた誘導加熱調理器において、前記本体ケースの前面の略全面に、各種操作および各種表示を行う操作パネルを設けることもでき、そのように構成した場合、空洞部の前面側を操作パネルとして活用できることとなり、複数の電磁誘導コイルに対応する各種操作および各種表示を行うスペースを確保することができる。
【００４４】
本願発明の第５の手段におけるように、上記第４の手段を備えた誘導加熱調理器において、前記操作パネルにおける特定部位に、炊飯に関する操作・表示を行う炊飯操作・表示部を設けることもでき、そのように構成した場合、設定項目の多い炊飯関連の操作・表示を独立して１カ所に設けることができることとなり、使い勝手が良好となる。
【００４５】
本願発明の第６の手段におけるように、上記第５の手段を備えた誘導加熱調理器において、前記電磁誘導コイルの出力を異ならしめるとともに、前記炊飯操作・表示部に設けられた炊飯キーにより前記電磁誘導コイルのうちの出力の小さい方が制御されるように構成することもでき、そのように構成した場合、吹きこぼれ等の問題から高火力を必要としない炊飯を実行する炊飯キーにより出力の小さい方の電磁誘導コイルを制御することで、高火力を必要とする自動調理メニューを高出力側の電磁誘導コイルで調理できることとなり、調理メニューに見合った効率のよい調理が可能となる。
【００４６】
本願発明の第７の手段におけるように、上記第１の手段を備えた誘導加熱調理器において、前記空洞部をロースターを配設し得るように構成してロースター付き仕様として対応できるように構成することもでき、そのように構成した場合、ロースター無し仕様とロースター付き仕様とを同一の本体ケースで製作することが可能となり、製作コストを低減できる。
【００４７】
本願発明の第８の手段におけるように、上記第１、第２、第３、第４、第５、第６又は第７の手段を備えた誘導加熱調理器において、前記電磁誘導コイルのうちの他方の下方に、前記電磁誘導コイルの発振を制御する駆動・制御基板を配設することもでき、そのように構成した場合、駆動時に発熱する電子部品を具備した駆動・制御基板が冷却ファンから吹き出された直後の冷却風により冷却されることとなり、駆動・制御基板を効果的に冷却することができる。
【図面の簡単な説明】
【図１】本願発明の実施の形態にかかる誘導加熱調理器の平面図である。
【図２】図１のＩＩ−ＩＩ断面図である。
【図３】図１のＩＩＩ−ＩＩＩ断面図である。
【図４】図１のＩＶ−ＩＶ断面図である。
【図５】本願発明の実施の形態にかかる誘導加熱調理器のトッププレートおよび電磁誘導コイルを除いた状態を示す平面図である。
【図６】本願発明の実施の形態にかかる誘導加熱調理器の正面図である。
【図７】本願発明の実施の形態にかかる誘導加熱調理器における電気系統の結線図である
【図８】本願発明の実施の形態にかかる誘導加熱調理器における操作パネルの液晶表示装置の他の表示例を示す図であり、（イ）は左側表示部における液晶表示装置を、（ロ）は右側表示部における液晶表示装置をそれぞれ示す。
【図９】本願発明の実施の形態にかかる誘導加熱調理器の変形例を示す断面図（図４相当図）である。
【図１０】本願発明の実施の形態にかかる誘導加熱調理器をロースター付き仕様に変更した場合の断面図（図４相当図）である。
【符号の説明】
１は本体ケース、２はトッププレート、３Ａ，３Ｂは電磁誘導コイル、４Ａ，４Ｂは駆動・制御基板、７Ａ，７Ｂは隔壁、８Ａ，８Ｂはコイル台、１０は空洞部、１１Ａ，１１ＢはＩＧＢＴ素子、１２Ａ，１２Ｂはヒートシンク、１３は冷却ファン、１７は冷却風導入口、２２は操作パネル、５０は炊飯キー、５５は支持部材、５６は流入口、５８はロースター、Ｗは冷却風。
【図１】
2004134111.tif 000003
【図２】
2004134111.tif 000004
【図３】
2004134111.tif 000005
【図４】
2004134111.tif 000006
【図５】
2004134111.tif 000007
【図６】
2004134111.tif 000008
【図７】
2004134111.tif 000009
【図８】
2004134111.tif 000010
【図９】
2004134111.tif 000011
【図１０】
2004134111.tif 000012